【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
１個のナット部材と、このナット部材を閉じ込める手段とを備えるアセンブリであって、
１個のナット部材は、上面を有するベース部分と、該ナット部材ベース部分の前記上面から直接延びる概ね円筒状の部分とを有し、前記１個のナット部分は、前記ナット部材ベース部分および前記概ね円筒状の延びる部分を通して延びる開口を有し、前記概ね円筒状の延びる部分は、力を加えられたときに外側に崩壊するように構成され、
閉じ込める手段は、前記１個のナット部材の移動範囲を少なくとも１次元に制限するもので、前記閉じ込める手段は、前記閉じ込める手段によって与えられる前記１個のナット部材の制限された移動範囲内で前記１個のナット部材の開口へ接近することを許容する手段を有し、前記閉じ込める手段は、閉じ込める手段ベース部分と、この閉じ込める手段ベース部分の対向する端部から延びるとともに遊端を有する一対のアーム部分とを有し、前記アーム部分の少なくとも１つは、その遊端で切り抜き部を規定し、前記アーム部分は、前記アーム部分の遊端が互いに面し、且つ互いに整列するように曲げられており、前記１個のナット部材の前記概ね円筒状の延びる部分は、前記少なくとも１つのアーム部分の切り抜き部を通して延び、前記ナット部材ベース部分は、前記閉じ込める手段ベース部分と前記アーム部分との間に位置決めされることを特徴とするアセンブリ。
【請求項２】
前記１個のナット部材は、力を加えられたときに、前記概ね円柱状の延びる部分が崩壊されることを許容する手段を更に備えることを特徴とする請求項１に記載のアセンブリ。
【請求項３】
前記許容する手段は、前記１個のナット部材の前記概ね円筒状の延びる部分上に設けられた複数の凹部を有することを特徴とする請求項２に記載のアセンブリ。
【請求項４】
前記概ね円筒状の延びる部分は、複数のフランジを備え、前記フランジは、崩壊後の前記閉じ込める手段に対して位置決めされ、前記ナット部材ベース部分は、前記閉じ込める手段から離れて支持されることを特徴とする請求項１に記載のアセンブリ。
【請求項５】
前記概ね円筒状の延びる部分は、ネジ付きの壁を有し、前記ネジ付きの壁は、前記開口の少なくとも一部を規定することを特徴とする請求項１に記載のアセンブリ。
【請求項６】
前記アーム部分に接続されると共に前記少なくとも１つのアーム部材の切り抜き部内に位置決めされたブッシングを更に備え、前記ブッシングは、そこを通る開口を有することを特徴とする請求項１に記載のアセンブリ。
【請求項７】
前記１個のナット部材の前記概ね円筒状の延びる部分は、前記ブッシングの前記開口を通して延びていることを特徴とする請求項６に記載のアセンブリ。
【請求項８】
前記ブッシングは、非導電性の材料で形成されていることを特徴とする請求項７に記載のアセンブリ。
【請求項９】
前記許容する手段は、前記閉じ込める手段ベース部分を通して設けられた開口であることを特徴とする請求項１に記載のアセンブリ。
【請求項１０】
１個のナット部材と、このナット部材を閉じ込める手段と、電気メッキ抑制剤とを備えるアセンブリであって、
１個のナット部材は、上面を有するベース部分と、該ナット部材ベース部分の前記上面から直接延びる概ね円筒状の部分とを有し、前記１個のナット部分は、前記ナット部材ベース部分および前記概ね円筒状の延びる部分を通して延びる開口を有し、前記概ね円筒状の延びる部分は、力を加えられたときに外側に崩壊するように構成され、
閉じ込める手段は、前記１個のナット部材の移動範囲を少なくとも１次元に制限するもので、前記閉じ込める手段は、前記閉じ込める手段によって与えられる前記１個のナット部材の制限された移動範囲内で前記１個のナット部材の開口へ接近することを許容する手段を有し、
電気メッキ抑制剤は、前記概ね円筒状のナット部材と前記閉じ込める手段との間に位置決めされていることを特徴とするアセンブリ。
【請求項１１】
前記閉じ込める手段は、閉じ込める手段ベース部分と、この閉じ込める手段ベース部分の対向する端部から延びるとともに遊端を有する一対のアーム部分とを有し、前記アーム部分の少なくとも１つは、その遊端で切り抜き部を規定し、前記アーム部分は、前記アーム部分の遊端が互いに面し、且つ互いに整列するように曲げられていることを特徴とする請求項１０記載のアセンブリ。
【請求項１２】
前記電気メッキ抑制剤は、非導電性材料からなるブッシングであることを特徴とする請求項１０に記載のアセンブリ。
【請求項１３】
前記１個のナット部材は、力を加えられたときに、前記概ね円柱状の延びる部分が崩壊されることを許容する手段を更に備えることを特徴とする請求項１０に記載のアセンブリ。
【請求項１４】
前記許容する手段は、前記１個のナット部材の前記概ね円筒状の延びる部分上に設けられた複数の凹部を有することを特徴とする請求項１３に記載のアセンブリ。
【請求項１５】
前記概ね円筒状の延びる部分は、複数のフランジを備え、前記フランジは、崩壊後の前記閉じ込める手段に対して位置決めされ、前記ナット部材ベース部分は、前記閉じ込める手段から離れて支持されることを特徴とする請求項１０に記載のアセンブリ。
【請求項１６】
前記概ね円筒状の延びる部分は、ネジ付きの壁を有し、前記ネジ付きの壁は、前記開口の少なくとも一部を規定することを特徴とする請求項１０に記載のアセンブリ。
【請求項１７】
前記許容する手段は、前記閉じ込める手段を通して設けられた開口であることを特徴とする請求項１に記載のアセンブリ。
【請求項１８】
ナット部材と、このナット部材を閉じ込める手段とを備えるアセンブリであって、
ナット部材は、ナット部材ベース部分と、そこから延びる部分とを有し、前記ナット部分は、前記ナット部材ベース部分および前記延びる部分を通して延びる開口を有し、前記延びる部分は、力を加えられたときに崩壊するように構成され、
閉じ込める手段は、前記ナット部材の移動範囲を少なくとも１次元に制限するもので、前記閉じ込める手段は、前記閉じ込める手段によって与えられる前記ナット部材の制限された移動範囲内で前記ナット部材の開口へ接近することを許容する手段を有し、前記閉じ込める手段は、閉じ込める手段ベース部分と、この閉じ込める手段ベース部分の対向する端部から延びるとともに遊端を有する一対のアーム部分とを有し、前記アーム部分の少なくとも１つは、その遊端で切り抜き部を規定し、前記アーム部分は、前記アーム部分の遊端が互いに面し、且つ互いに整列するように曲げられており、前記ナット部材の前記延びる部分は、前記少なくとも１つのアーム部分の切り抜き部を通して延び、前記ナット部材ベース部分は、前記閉じ込める手段ベース部分と前記アーム部分との間に位置決めされることを特徴とするアセンブリ。
【請求項１９】
前記アーム部分に接続されると共に前記少なくとも１つのアーム部材の切り抜き部内に位置決めされたブッシングを更に備え、前記ブッシングは、そこを通る開口を有することを特徴とする請求項１８に記載のアセンブリ。
【請求項２０】
前記ナット部材の前記延びる部分は、前記ブッシングの前記開口を通して延びていることを特徴とする請求項１９に記載のアセンブリ。
【請求項２１】
前記ブッシングは、非導電性の材料で形成されていることを特徴とする請求項２０に記載のアセンブリ。
【請求項２２】
ナット部材と、このナット部材を閉じ込める手段と、電気メッキ抑制剤とを備えるアセンブリであって、
ナット部材は、ナット部材ベース部分と、そこから延びる部分とを有し、前記ナット部分は、前記ナット部材ベース部分および前記延びる部分を通して延びる開口を有し、前記延びる部分は、力を加えられたときに崩壊するように構成され、
閉じ込める手段は、前記ナット部材の移動範囲を少なくとも１次元に制限するもので、前記閉じ込める手段は、前記閉じ込める手段によって与えられる前記ナット部材の制限された移動範囲内で前記ナット部材の開口へ接近することを許容する手段を有し、
電気メッキ抑制剤は、前記概ね円筒状のナット部材と前記閉じ込める手段との間に位置決めされており、前記電気メッキ抑制剤は、非導電性材料からなるブッシングであることを特徴とするアセンブリ。
【請求項２３】
ナット部材と、このナット部材を閉じ込める手段とを備えるアセンブリであって、
ナット部材は、ナット部材ベース部分と、そこから延びる部分とを有し、前記ナット部分は、前記ナット部材ベース部分および前記延びる部分を通して延びる開口を有し、前記延びる部分は、力を加えられたときに崩壊するように構成され、
閉じ込める手段は、前記ナット部材の移動範囲を少なくとも１次元に制限するもので、前記閉じ込める手段は、前記閉じ込める手段によって与えられる前記ナット部材の制限された移動範囲内で前記ナット部材の開口へ接近することを許容する手段を有し、前記閉じ込める手段は、閉じ込める手段ベース部分と、この閉じ込める手段ベース部分の対向する端部から延びるとともに遊端を有する一対のアーム部分とを有し、前記アーム部分の遊端には半円形の切り抜き部が設けられ、前記アーム部分は、前記アーム部分の遊端が互いに面し、且つ互いに整列するように曲げられており、前記ナット部材の前記延びる部分は、前記アーム部分の半円形の切り抜き部を通して延び、前記ナット部材ベース部分は、前記閉じ込める手段ベース部分と前記アーム部分との間に位置決めされることを特徴とするアセンブリ。
【請求項２４】
前記アーム部分に接続されると共に前記半円形の切り抜き部内に位置決めされたブッシングを更に備え、前記ブッシングは、そこを通る開口を有することを特徴とする請求項２３に記載のアセンブリ。
【請求項２５】
前記ナット部材の前記延びる部分は、前記ブッシングの前記開口を通して延びていることを特徴とする請求項２４に記載のアセンブリ。
【請求項２６】
前記ブッシングは、非導電性の材料で形成されていることを特徴とする請求項２５に記載のアセンブリ。
【請求項２７】
前記許容する手段は、前記閉じ込める手段ベース部分を通して設けられた開口であることを特徴とする請求項２３に記載のアセンブリ。
【請求項２８】
ワークピースと、ナット部材と、ケージ部材と、ファスナーとの組み合わせであって、
ワークピースは、第１及び第２の表面と、そこを通して設けられた開口とを有し、
ナット部材は、ベース部分と、そこから延びる部分とを有し、前記ナット部材は、前記ベース部分と前記延びる部分とを通して延びる開口を有し、前記延びる部分は、ネジ付きの壁を有し、前記ネジ付きの壁は、前記開口の少なくとも一部を規定し、前記ナット部材の前記延びる部分は、少なくとも部分的に複数のフランジから形成されおり、
ケージ部材は、前記ワークピースの前記第１の表面と関連付けられ、前記ケージ部材は、そこを通る開口部を有し、前記ナット部材の前記ベース部分は、前記ケージ部材内に閉じ込められ、前記複数のフランジは、前記ケージ部材の前記開口部を通して延びて、前記ケージ部材と接触しており、
ファスナーは、拡大された頭部と、そこから延びた細長いネジ付きのシャンクとを有し、前記拡大された頭部は、前記ワークピースの前記第２の表面と関連付けられ、前記細長いシャンクは、前記ワークピースの前記開口を通して延びて、前記ナット部材のネジ付きの壁と螺合されていることを特徴とする組み合わせ。
【請求項２９】
前記ケージ部材は、前記ワークピースの前記第１の表面に溶接されていることを特徴とする請求項２８に記載の組み合わせ。
【請求項３０】
前記拡大された頭部は、前記ワークピースの前記第２の表面に接して位置決めされていることを特徴とする請求項２８に記載の組み合わせ。
【請求項３１】
前記ナット部材の前記ベース部分は、前記ケージ部材に接して位置決めされていることを特徴とする請求項２８に記載の組み合わせ。
【請求項３２】
前記ナット部材の前記ベース部分は、前記ワークピースの前記第１の表面に接して位置決めされていることを特徴とする請求項２８に記載の組み合わせ。
【請求項３３】
前記複数のフランジは、前記ケージ部材と最小限度の接触をするように、折り曲げられていることを特徴とする請求項２８に記載の組み合わせ。
【請求項３４】
前記複数のフランジは、前記ケージ部材と最小限度の接触をするように、湾曲状にされていることを特徴とする請求項２８に記載の組み合わせ。
【請求項３５】
前記複数のフランジは、前記ケージ部材と最小限度の接触をするように、キノコ状にされていることを特徴とする請求項２８に記載の組み合わせ。
【請求項３６】
ワークピースと、ナット部材と、ケージ部材と、ブッシングと、ファスナーとの組み合わせであって、
ワークピースは、第１及び第２の表面と、そこを通して設けられた開口とを有し、
ナット部材は、ベース部分と、そこから延びる部分とを有し、前記ナット部材は、前記ベース部分と前記延びる部分とを通して延びる開口を有し、前記延びる部分は、ネジ付きの壁を有し、前記ネジ付きの壁は、前記開口の少なくとも一部を規定し、前記ナット部材の前記延びる部分は、少なくとも部分的に複数のフランジから形成されおり、
ケージ部材は、前記ワークピースの前記第１の表面と関連付けられ、前記ケージ部材は、そこを通る開口部を有し、前記ナット部材の前記ベース部分は、前記ケージ部材内に閉じ込められており、
ブッシングは、前記ケージ部材と関連して、前記ケージ部材の前記開口部内に位置決めされ、前記ブッシングは、そこを通る開口を有し、前記複数のフランジは、前記ブッシングの前記開口を通して延びて、前記ブッシングに接触しており、
ファスナーは、拡大された頭部と、そこから延びた細長いネジ付きのシャンクとを有し、前記拡大された頭部は、前記ワークピースの前記第２の表面と関連付けられ、前記細長いシャンクは、前記ワークピースの前記開口を通して延びて、前記ナット部材のネジ付きの壁と螺合されていることを特徴とする組み合わせ。
【請求項３７】
前記ケージ部材は、前記ワークピースの前記第１の表面に溶接されていることを特徴とする請求項３６に記載の組み合わせ。
【請求項３８】
前記拡大された頭部は、前記ワークピースの前記第２の表面に接して位置決めされていることを特徴とする請求項３６に記載の組み合わせ。
【請求項３９】
前記ナット部材の前記ベース部分は、前記ケージ部材に接して位置決めされていることを特徴とする請求項３６に記載の組み合わせ。
【請求項４０】
前記ナット部材の前記ベース部分は、前記ワークピースの前記第１の表面に接して位置決めされていることを特徴とする請求項３６に記載の組み合わせ。
【請求項４１】
前記複数のフランジは、前記ブッシングと最小限度の接触をするように、折り曲げられていることを特徴とする請求項３６に記載の組み合わせ。
【請求項４２】
前記複数のフランジは、前記ブッシングと最小限度の接触をするように、湾曲状にされていることを特徴とする請求項３６に記載の組み合わせ。
【請求項４３】
前記ブッシングは、非導電性材料で形成されていることを特徴とする請求項３６に記載の組み合わせ。
【請求項４４】
前記複数のフランジは、前記ブッシングと最小限度の接触をするように、キノコ状にされていることを特徴とする請求項３６に記載の組み合わせ。
【請求項４５】
ナット部材をケージ部材に閉じ込める方法であって、
ａ）ケージ部材を提供する工程と、
ｂ）ベース部分と、そこから前記ケージ部材を通して延びることが可能な延びる部分とを有するナット部材を提供する工程と、
ｃ）前記ナット部材の前記延びる部分を外側に崩壊させて、前記ナット部材のベース部分を前記ケージ部材から離して支持する工程とを備えることを特徴とする方法。
【請求項４６】
前記延びる部分は、少なくその部分に沿って設けられた凹部を有し、さらに前記ｃ工程は、
ｃ１）前記ナット部材の前記延びる部分に力を与えて、前記延びる部分を前記凹部に沿って破断して、複数のフランジを設ける工程と、
ｃ２）前記複数のフランジが前記ケージ部材と最小限度の接触をするように前記複数のフランジを崩壊させて、前記ナット部材の前記ベース部分が前記ケージ部材と接触しないようにする工程とを備えることを特徴とする請求項４５記載の方法。
【請求項４７】
前記複数のフランジが前記ケージ部材と最小限度の接触をするように、前記複数のフランジが工程（ｃ１）で崩壊されるときに、前記複数のフランジは、前記ナット部材に接して折り曲げられることを特徴とする請求項４６に記載の方法。
【請求項４８】
前記複数のフランジが前記ケージ部材と最小限度の接触をするように、前記複数のフランジが工程（ｃ１）で崩壊されるときに、前記複数のフランジは、前記ナット部材に接して湾曲状にされることを特徴とする請求項４６に記載の方法。
【請求項４９】
前記複数のフランジが前記ケージ部材と最小限度の接触をするように、前記複数のフランジが工程（ｃ１）で崩壊されるときに、前記複数のフランジは、前記ナット部材に接してキノコ状にされることを特徴とする請求項４６に記載の方法。
【請求項５０】
ｄ）そこを通して設けられた開口を有し、且つ前記ケージ部材に接続されたブッシングを提供する工程をさらに備え、
前記ナット部材の前記延びる部分は、前記ブッシングの前記開口を通して延びることを特徴とする請求項４５に記載の方法。
【請求項５１】
前記延びる部分は、少なくその部分に沿って設けられた凹部を有し、さらに前記ｃ工程は、
ｃ１）前記ナット部材の前記延びる部分に力を与えて、前記延びる部分を前記凹部に沿って破断して、複数のフランジを設ける工程と、
ｃ２）前記複数のフランジが前記ケージ部材と最小限度の接触をするように前記複数のフランジを崩壊させて、前記ナット部材の前記ベース部分が前記ケージ部材と接触しないようにする工程とを備えることを特徴とする請求項５０記載の方法。
【請求項５２】
前記複数のフランジが前記ケージ部材と最小限度の接触をするように、前記複数のフランジが工程（ｃ１）で崩壊されるときに、前記複数のフランジは、前記ナット部材に接して折り曲げられることを特徴とする請求項５１に記載の方法。
【請求項５３】
前記複数のフランジが前記ケージ部材と最小限度の接触をするように、前記複数のフランジが工程（ｃ１）で崩壊されるときに、前記複数のフランジは、前記ナット部材に接して湾曲状にされることを特徴とする請求項５１に記載の方法。
【請求項５４】
前記複数のフランジが前記ケージ部材と最小限度の接触をするように、前記複数のフランジが工程（ｃ１）で崩壊されるときに、前記複数のフランジは、前記ナット部材に接してキノコ状にされることを特徴とする請求項５１に記載の方法。